【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
光ファイバであって、
軸に沿って延在する導波要素であって、前記導波要素は、中心コア領域と、前記中心コア領域を囲繞するクラッディング層とを備える、導波要素と、
前記導波要素を囲繞する機械的領域であって、前記機械的領域は、前記クラッディング層と外周との間に位置付けられ、前記機械的領域は、第１の密度を有する第１の材料を含む、機械的領域と、
前記機械的領域内に位置付けられる複数の質量調節領域であって、前記複数の質量調節領域は、前記第１の密度未満の第２の密度を有する第２の材料を含み、前記複数の質量調節領域は、複数の列の質量調節要素を備え、前記複数の列は、前記導波要素の周囲に同心円状に配列され、前記光ファイバは、一意ではない主方向を呈する、複数の質量調節領域と
を備える、光ファイバ。
【請求項２】
前記クラッディング層および前記機械的領域は、同心円状である、請求項１に記載の光ファイバ。
【請求項３】
前記クラッディング層は、前記第１の材料を含み、前記第２の材料は、前記第１の材料と同一であり、前記中心コア領域は、第３の材料を含む、請求項２に記載の光ファイバ。
【請求項４】
前記クラッディング層および前記機械的領域は、単一体を備える、請求項２に記載の光ファイバ。
【請求項５】
前記導波要素は、複数のコア領域を備え、前記クラッディング層は、前記複数のコア領域を囲繞する、請求項１に記載の光ファイバ。
【請求項６】
前記複数の質量調節領域は、１つ以上のガス充填領域、空気充填領域、１つ以上のポリマー充填領域、１つ以上のガラス充填領域、１つ以上の真空領域、またはこれらの任意の組み合わせを備える、請求項１に記載の光ファイバ。
【請求項７】
前記複数の質量調節領域は、前記軸の周囲に対称構成で配列される、請求項１に記載の光ファイバ。
【請求項８】
前記複数の質量調節領域は、前記軸と平行な軸を伴って配列される、請求項１に記載の光ファイバ。
【請求項９】
前記光ファイバは、半径方向に対称の剛性を呈する、請求項１に記載の光ファイバ。
【請求項１０】
前記光ファイバは、０．４％またはそれ未満の垂直慣性モーメントの間のパーセント差を呈する、請求項１に記載の光ファイバ。
【請求項１１】
前記光ファイバは、有効カンチレバー長を有し、前記複数の質量調節領域は、同等の光ファイバと比較して、前記光ファイバの共鳴発振周波数を増加させ、前記同等の光ファイバは、前記有効カンチレバー長を有し、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、請求項１に記載の光ファイバ。
【請求項１２】
前記複数の質量調節領域は、同等の光ファイバと比較して、所与の動作周波数のために前記光ファイバの有効カンチレバー長を増加させ、前記同等の光ファイバは、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、請求項１に記載の光ファイバ。
【請求項１３】
前記光ファイバは、共振周波数を有し、前記複数の質量調節領域は、同等の光ファイバと比較して、前記光ファイバの有効カンチレバー長を増加させ、前記同等の光ファイバは、前記共振周波数を有し、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、請求項１に記載の光ファイバ。
【請求項１４】
走査ファイバディスプレイであって、
光ファイバであって、前記光ファイバは、
軸に沿って延在する導波要素であって、前記導波要素は、中心コア領域と、前記中心コア領域を囲繞するクラッディング層とを備える、導波要素と、
前記導波要素を囲繞する機械的領域であって、前記機械的領域は、前記クラッディング層と外周との間に位置付けられ、前記機械的領域は、第１の密度を有する第１の材料を含む、機械的領域と、
前記機械的領域内に位置付けられる複数の質量調節領域であって、前記複数の質量調節領域は、前記第１の密度未満の第２の密度を有する第２の材料を含み、前記複数の質量調節領域は、複数の列の質量調節要素を備え、前記複数の列は、前記導波要素の周囲に同心円状に配列され、前記光ファイバは、一意ではない主方向を呈する、複数の質量調節領域と
を含む、光ファイバと、
前記光ファイバと機械的に接触するアクチュエータであって、前記アクチュエータは、前記光ファイバの発振を誘発するためのものである、アクチュエータと
を備える、走査ファイバディスプレイ。
【請求項１５】
前記アクチュエータは、圧電変換器、電磁ボイスコイル、または熱アクチュエータを備える、請求項１４に記載の走査ファイバディスプレイ。
【請求項１６】
前記アクチュエータは、２次元における前記光ファイバの端部の運動を制御するための２次元アクチュエータを備える、請求項１４に記載の走査ファイバディスプレイ。
【請求項１７】
前記光ファイバの前記導波要素と光連通する可視光源をさらに備える、請求項１４に記載の走査ファイバディスプレイ。
【請求項１８】
前記光ファイバの前記導波要素と光連通する多色切替可能光源をさらに備える、請求項１４に記載の走査ファイバディスプレイ。
【請求項１９】
光ファイバであって、
軸に沿って延在する導波要素であって、前記導波要素は、中心コア領域と、前記中心コア領域を囲繞するクラッディング層とを備える、導波要素と、
前記導波要素を囲繞する機械的領域であって、前記機械的領域は、前記クラッディング層と外周との間に位置付けられ、前記機械的領域は、第１の密度を有する第１の材料を含む、機械的領域と、
前記機械的領域内に位置付けられる複数の質量調節領域であって、前記複数の質量調節領域は、前記第１の密度未満の第２の密度を有する第２の材料を含み、前記光ファイバは、一意ではない主方向を呈し、前記光ファイバは、０．４％またはそれ未満の垂直慣性モーメントの間のパーセント差を呈する、複数の質量調節領域と
を備える、光ファイバ。
【手続補正２】
【補正対象書類名】明細書
【補正対象項目名】００２０
【補正方法】変更
【補正の内容】
【００２０】
前述は、他の特徴および実施形態とともに、以下の説明、請求項、および付随する図面を参照することに応じて、より明白となるであろう。上記の側面の光ファイバおよび走査ファイバディスプレイは、随意に、下記の説明に説明される特徴および側面を含み得ることを理解されたい。
本発明は、例えば、以下を提供する。
（項目１）
光ファイバであって、
軸に沿って延在する導波要素と、
前記導波要素を囲繞する機械的領域であって、前記機械的領域は、前記導波要素と外周との間に位置付けられ、前記機械的領域は、第１の密度を有する第１の材料を含む、機械的領域と、
前記機械的領域内に位置付けられる複数の質量調節領域であって、前記複数の質量調節領域は、前記第１の密度未満の第２の密度を有する第２の材料を含む、複数の質量調節領域と
を備える、光ファイバ。
（項目２）
前記導波要素は、中心コア領域と、前記中心コア領域を囲繞するクラッディング層とを備える、項目１に記載の光ファイバ。
（項目３）
前記クラッディング層は、前記第１の材料を含み、前記中心コア領域は、第３の材料を含む、項目２に記載の光ファイバ。
（項目４）
前記クラッディング層および前記機械的領域は、単一体を備える、項目２に記載の光ファイバ。
（項目５）
前記導波要素は、複数のコア領域と、前記複数のコア領域を囲繞するクラッディング層とを備える、項目１に記載の光ファイバ。
（項目６）
前記複数の質量調節領域は、１つ以上のガス充填領域、空気充填領域、１つ以上のポリマー充填領域、１つ以上のガラス充填領域、１つ以上の真空領域、またはこれらの任意の組み合わせを備える、項目１に記載の光ファイバ。
（項目７）
前記複数の質量調節領域は、複数の列の質量調節要素を備え、前記複数の列は、前記導波要素の周囲に同心円状に配列される、項目１に記載の光ファイバ。
（項目８）
前記複数の質量調節領域は、前記軸の周囲に対称構成で配列される、項目１に記載の光ファイバ。
（項目９）
前記複数の質量調節領域は、前記軸と平行な軸を伴って配列される、項目１に記載の光ファイバ。
（項目１０）
前記複数の質量調節領域は、前記機械的領域の体積の約３０％〜約９０％を占有する、項目１に記載の光ファイバ。
（項目１１）
前記複数の質量調節領域は、同等の光ファイバと比較して、単位長あたりの前記光ファイバの質量を低減させ、前記同等の光ファイバは、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、項目１に記載の光ファイバ。
（項目１２）
前記光ファイバは、有効カンチレバー長を有し、前記複数の質量調節領域は、同等の光ファイバと比較して、前記光ファイバの共鳴発振周波数を増加させ、前記同等の光ファイバは、前記有効カンチレバー長を有し、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、項目１に記載の光ファイバ。
（項目１３）
前記複数の質量調節領域は、同等の光ファイバと比較して、所与の動作周波数のために前記光ファイバの有効カンチレバー長を増加させ、前記同等の光ファイバは、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、項目１に記載の光ファイバ。
（項目１４）
前記光ファイバは、共振周波数を有し、前記複数の質量調節領域は、同等の光ファイバと比較して、前記光ファイバの有効カンチレバー長を増加させ、前記同等の光ファイバは、前記共振周波数を有し、対応する導波要素と、対応する機械的領域とを備え、前記対応する導波要素は、前記導波要素と同じであり、前記対応する機械的領域は、前記対応する機械的領域が、前記対応する導波要素と前記同等の光ファイバの対応する外周との間に位置付けられる質量調節領域を含まないことを除いて、前記機械的領域と同じである、項目１に記載の光ファイバ。
（項目１５）
走査ファイバディスプレイであって、
光ファイバであって、前記光ファイバは、
軸に沿って延在する導波要素と、
前記導波要素を囲繞する機械的領域であって、前記機械的領域は、前記導波要素と外周との間に位置付けられ、前記機械的領域は、第１の密度を有する第１の材料を含む、機械的領域と、
前記機械的領域内に位置付けられる複数の質量調節領域であって、前記複数の質量調節領域は、前記第１の密度未満の第２の密度を有する第２の材料を含む、複数の質量調節領域と
を含む、光ファイバと、
前記光ファイバと機械的に接触するアクチュエータであって、前記アクチュエータは、前記光ファイバの発振を誘発するためのものである、アクチュエータと
を備える、走査ファイバディスプレイ。
（項目１６）
前記アクチュエータは、圧電変換器、電磁ボイスコイル、または熱アクチュエータを備える、項目１５に記載の走査ファイバディスプレイ。
（項目１７）
前記アクチュエータは、２次元における前記光ファイバの端部の運動を制御するための２次元アクチュエータを備える、項目１５に記載の走査ファイバディスプレイ。
（項目１８）
前記光ファイバの導波要素と光連通する可視光源をさらに備える、項目１５に記載の走査ファイバディスプレイ。
（項目１９）
前記光ファイバの導波要素と光連通する多色切替可能光源をさらに備える、項目１５に記載の走査ファイバディスプレイ。
（項目２０）
光ファイバであって、
軸に沿って延在する導波要素と、
前記導波要素を囲繞する機械的領域であって、前記機械的領域は、前記導波要素と外周との間に位置付けられ、前記機械的領域は、第１の材料を含む、機械的領域と、
前記機械的領域内に位置付けられる複数の断面二次モーメント調節領域であって、前記複数の断面二次モーメント調節領域は、同等の光ファイバと異なる前記機械的領域の断面二次モーメントを生成するための第２の材料を含み、前記同等の光ファイバは、対応する機械的領域を備え、前記対応する機械的領域は、前記対応する機械的領域が、前記対応する導波要素と前記同等の光ファイバの対応する外周との間に位置付けられる前記複数の断面二次モーメント調節領域を含まないことを除いて、前記機械的領域と同じである、複数の断面二次モーメント調節領域と
を備える、光ファイバ。